(57)【要約】【課題】着用時に足の踵部分にフィットして歩行し易く、履いたり脱いだりするときに邪魔にならず、靴擦れしにくくする。【解決手段】アッパー２の踵部にトップパッド４が設けられている。アッパー２は、トップライン２ａにおいて表皮５と裏皮６とが袋縫いにより縫製されたものである。アッパー２の踵部上部において表皮５と裏皮６と間にトップパッド４が設けられている。【選択図】  図１
2018110692.tif 000002
【特許請求の範囲】
【請求項１】
アッパーの踵部分にトップパッドが設けられている靴であって、
前記アッパーは、トップライン付近で表皮と裏皮とが袋縫いされたものであり、
前記トップパッドは、前記アッパーの表皮と裏皮と間で前記トップライン付近から下方に向かって延びるように設けられていることを特徴とする靴。
【請求項２】
前記トップパッドは、前記表皮と前記裏皮との袋縫いの折込代分を残して、前記裏皮に貼り付けられるとともに縫い付けられている、請求項１記載の靴。
【請求項３】
前記トップパッドは、スポンジ材が補強布に貼り付けられてなり、前記スポンジ材が前記裏皮側となるように前記裏皮に貼り付けられるとともに縫い付けられている、請求項１または２記載の靴。
【請求項４】
前記裏皮は、前記アッパーの踵部に対応する第１の部分と、残りの部分に対応し各端部が前記第１の部分の端部にそれぞれ縫い付けられている第２の部分とを有し、
前記第１の部分が、前記トップパッドが貼り付けられるとともに縫い付けられる部分である、請求項２または３記載の靴。
【請求項５】
前記アッパーは、前記トップライン付近において、前記踵部分を除き、ステッチが設けられている、請求項１〜４のいずれか１項に記載の靴。
【請求項６】
前記トップパッドと前記表皮との間に、カウンターが設けられている、請求項１〜５のいずれか１項に記載の靴。
【請求項７】
表皮と裏皮とを有するアッパーの踵部分にトップパッドが設けられている靴の製造方法であって、
スポンジ材を補強布に貼り付けてトップパッドを形成する工程と、
前記裏皮の踵部分となる部分に、前記トップラインとなる部位付近から下方に向かって延びるように前記トップパッドを、前記スポンジ材が前記裏皮側となるように貼り付けるとともに縫い付ける工程と、
前記トップパッドを貼り付けるとともに縫い付けた前記裏皮を前記表皮に、前記表皮との間に前記トップパッドが位置するように縫い付ける工程とを有することを特徴とする靴の製造方法。
【請求項８】
前記裏皮の踵部分となる部分に、取付ラインを描き、
前記トップパッドを、下縁が前記取付ラインに沿うように貼り付けるとともに縫い付けることで、前記表皮と前記裏皮との袋縫いの折込代分を残す、請求項７記載の靴の製造方法。
【発明の詳細な説明】
【技術分野】
【０００１】
本発明は、紳士靴、婦人靴などの靴及びその製造方法に関するものである。
【背景技術】
【０００２】
革靴は、靴の型崩れを防止し、靴の形状を維持するため、踵及びその両側部分（周囲）に、型崩れし難い硬質のカウンター（月型芯）を入れるのが一般的である。
【０００３】
カウンターを入れることによって踵及びその周囲の型崩れを防止することができるが、カウンターは硬質であるため、踵及びその周囲が他の部分に比べて足に馴染みにくくなり、踵及びその周囲に足の収まりが悪いとか、歩行時に靴が脱げ易いという課題があった。
【０００４】
そこで、アッパーの内側において、踵の側部に突出部（トップパッド）が設けることが提案されている（例えば、特許文献１）。
【先行技術文献】
【特許文献】
【０００５】
【特許文献１】特開２０１１−４１５９０号公報
【発明の概要】
【発明が解決しようとする課題】
【０００６】
特許文献１記載のものは、側部に突出部（トップパッド）を設けているため、靴を履いたり脱いだりするときに突出部（トップパッド）が邪魔になって履きにくく、脱ぎにくいという課題がある。また、突出部（トップパッド）によって踵の上下動が阻害され、歩き難いとか、踵が擦れたりし易くなる。大きめのサイズのものを着用すれば、踵の上下動がスムーズになるが、足をホールドする力が弱くなって足の収まりが悪くなり歩行し難くなり、歩行時に踵が上下に動き過ぎて突出部（トップパッド）と擦れて靴ずれし易くなる。
【０００７】
本発明は、着用時に足の踵にフィットして歩行し易く、履いたり脱いだりするときに邪魔にならず、靴擦れしにくい靴及びその製造方法を提供することを目的とする。
【課題を解決するための手段】
【０００８】
請求項１の発明は、アッパーの踵部分にトップパッドが設けられている靴であって、前記アッパーは、トップライン付近で表皮と裏皮とが袋縫いされたものであり、前記トップパッドは、前記アッパーの表皮と裏皮と間で前記トップライン付近から下方に向かって延びるように設けられていることを特徴とする。
【０００９】
このようにすれば、トップパッドは、アッパーの表皮と裏皮と間でトップライン付近から下方に向かって延びるように設けられているので、着用時に足の踵部にフィットし、違和感がなく、歩行し易く、履いたり脱いだりするときに邪魔にならず、靴擦れもしにくくなる。
【００１０】
請求項２に記載のように、前記トップパッドは、前記表皮と前記裏皮との袋縫いの折込代分を残して、前記裏皮に貼り付けられるとともに縫い付けられている、ことが望ましい。
【００１１】
このようにすれば、前記表皮と前記裏皮との袋縫いを損なうことなく、トップパッドが、アッパーの表皮と裏皮と間に設けられる。
【００１２】
請求項３に記載のように、前記トップパッドは、スポンジ材が補強布に貼り付けられてなり、前記スポンジ材が前記裏皮側となるように前記裏皮に貼り付けられるとともに縫い付けられている、ことが望ましい。
【００１３】
このようにすれば、トップパッドが、裏皮にしっかりと取り付けられる。
【００１４】
請求項４に記載のように、前記裏皮は、前記アッパーの踵部に対応する第１の部分と、残りの部分に対応し各端部が前記第１の部分の端部にそれぞれ縫い付けられている第２の部分とを有し、前記第１の部分が、前記トップパッドが貼り付けられるとともに縫い付けられる部分である、ことが望ましい。
【００１５】
このようにすれば、前記第１の部分に、前記トップパッドが貼り付けられるとともに縫い付けられるので、前記表皮と前記裏皮との間に前記トップパッドを設けることが容易である。
【００１６】
請求項５に記載のように、前記アッパーは、前記トップライン付近において、前記踵部分を除き、ステッチが設けられている、ことが望ましい。
【００１７】
このようにすれば、トップパッドにかかわりなく、ステッチを設けることができる。
【００１８】
請求項６に記載のように、前記トップパッドと前記表皮との間に、カウンターが設けられている、ことが望ましい。
【００１９】
このようにすれば、カウンターを設けることが容易に行える。
【００２０】
請求項７の発明は、表皮と裏皮とを有するアッパーの踵部分にトップパッドが設けられている靴の製造方法であって、スポンジ材を補強布に貼り付けてトップパッドを形成する工程と、前記裏皮の踵部分となる部分に、前記トップラインとなる部位付近から下方に向かって延びるように前記トップパッドを、前記スポンジ材が前記裏皮側となるように貼り付けるとともに縫い付ける工程と、前記トップパッドを貼り付けるとともに縫い付けた前記裏皮を前記表皮に、前記表皮との間に前記トップパッドが位置するように縫い付ける工程とを有することを特徴とする。
【００２１】
このようにすれば、アッパーの裏皮にトップパッドを予め取付けているので、アッパーに靴底を取り付けるだけで、トップパッドも一緒に取り付けることができ、製造工程を簡略化することができる。
【００２２】
この場合、請求項８に記載のように、前記裏皮の踵部分となる部分に、取付ラインを描き、前記トップパッドを、下縁が前記取付ラインに沿うように貼り付けるとともに縫い付けることで、前記表皮と前記裏皮との袋縫いの折込代分を残す、ことが望ましい。
【００２３】
このようにすれば、トップパッドの下縁が前記取付ラインに沿うように貼り付けるとともに縫い付けるだけで、前記表皮と前記裏皮との袋縫いの折込代分を残すことができる。
【発明の効果】
【００２４】
本発明に係る靴は、トップパッドは、アッパーの表皮と裏皮と間でトップライン付近から下方に向かって延びるように設けられているので、着用時に足の踵部にフィットし、違和感がなく、歩行し易く、履いたり脱いだりするときに邪魔にならず、靴擦れもしにくくなる。
【００２５】
本発明に係る製造方法は、アッパーの裏皮にトップパッドを予め取付けているので、アッパーに靴底を取り付けるだけで、トップパッドも一緒に取り付けることができ、製造工程を簡略化することができる。
【図面の簡単な説明】
【００２６】
【図１】本発明に係る靴を、側方から見た斜視図である。
【図２】前記靴を、前方から見た斜視図である。
【図３】トップパッドを設けた部分を示す拡大斜視図である。
【図４】ステッチを設けた部分を示す要部斜視図である。
【図５】前記靴の製造方法の説明図である。
【図６】前記靴の製造方法の説明図である。
【図７】前記靴の製造方法の説明図である。
【図８】前記靴の製造方法の説明図である。
【発明を実施するための形態】
【００２７】
以下、本発明の実施の形態を図面に沿って説明する。
【００２８】
図１は本発明に係る靴を、側方から見た斜視図、図２は前記靴を、前方から見た斜視図である。
【００２９】
図１及び図２に示すように、本発明に係る靴である婦人靴１は、アッパー２の踵部３にトップパッド４が内方に突出するように設けられている。
【００３０】
アッパー２は、トップライン２ａ（履き口）において表皮５と裏皮６とが、袋縫いで縫製されたものである。そして、図３に示すように、アッパー２の踵部上部において表皮５と裏皮６と間にトップパッド４がトップライン２ａ付近から下方に向かって延びるように設けられ、その設けられている部分が内方に突出する突出部分２ｂとなっている。第１の部分６Ａの中央部分が踵部３の略中央に位置するように設けられている。
【００３１】
裏皮６は、踵部３に対応する第１の部分６Ａと、残りの部分に対応し各端部が第１の部分６Ａの端部にそれぞれ縫製されている第２の部分６Ｂとを有する。
【００３２】
トップパッド４による突出部分２ｂの形状は、左右対称で、下方に突出する山側形状の左右部分が結合され、下縁部分が略Ｗ字状となる形状である。そして、トップパッド４は、スポンジ材４Ａが補強布４Ｂに貼り付けられてなるもので、補強布４Ｂの下縁は、スポンジ材４Ａの下縁よりさらに下方まで延びている。このトップパッド４が、第１の部分６Ａに対し、スポンジ材４Ａが第１の部分６Ａ側となるように貼り付けられると共に、スポンジ材４Ａの下縁部分において、縫い付けられている。
【００３３】
この第１の部分６Ａに対するトップパッド４の貼り付けは、表皮５と裏皮６との上縁部同士を袋縫いするための折込代分を残して、行われる。
【００３４】
表皮５と裏皮６とは上縁部同士が袋縫いにより縫製され、図４に示すように、トップライン２ａとなる部分付近にはステッチ７が設けられているが、その踵部分にはステッチ７が設けられていない。これにより、トップパッド４の上縁部付近のクッション性が確保されている。
【００３５】
そして、表皮５の内面にカウンター（図示せず）が貼り付けることにより、トップパッド４の補強布４Ｂと表皮５との間に、前記カウンターが設けられている。前記カウンターは、例えば、上縁が湾曲している山形形状で、踵部３の中心から、左右両内側において、前側に向かって延びるように設けられている。
【００３６】
トップパッド４は表皮５と裏皮６との間であっても第２の部分６Ｂに貼り付けられると共に縫い付けられ、所定の位置に固定されているので、表皮５と裏皮６との間にカウンターを設けても、そのカウンターの位置がずれるということはない。
【００３７】
婦人靴１を履く場合においては、トップパッド４を設けている踵部３の上部が突出しているが、足の踵部分が突出部分２ｂに当たると、突出部分２ｂは足の踵部分に押される。これにより、突出部分２ｂが圧縮変形するため、突出部分２ｂがあっても、スムーズに婦人靴１を履くことができる。
【００３８】
そして、婦人靴１を履くと、トップパッド４（スポンジ材４Ａ）のクッション性により足の踵部分を弾性的に常時押す状態になる。また、婦人靴１はアッパー２の踵部３においてトップパッド４による突出部分２ｂが突出しているので、この突出部分２ｂが足の踵部分のうち細くなっているアキレス腱の部分に弾性接触するため、歩行中に、足の踵部分の上下動を規制し、脱げにくくなる。また、トップパッド４の存在により踵が痛くなるようなこともない。
【００３９】
つまり婦人靴１を履いている状態では、足の踵部分がトップパッド４による突出部分２ｂによって常時押圧され、足の踵部分とフィットして一体感が生じ、歩行することができる。
【００４０】
また、婦人靴１を脱ぐ場合には、トップパッド４による突出部分はスポンジ材４Ａの弾性力により押されているだけであるので、突出部分２ｂの存在に関係なく、スムーズに婦人靴１を脱ぐことができる。
【００４１】
なお、婦人靴１は、トップパッド４を直接見ることができないし、トップパッド４による突出部分２ｂがあっても、バランスよく左右に対称に突出しているので、外観を損ねることはない。
【００４２】
また、クッションパッド材４をアッパー２の内側に突出するように設けているだけであるので、婦人靴１のアッパー２の外側面が膨らんだりすることはなく、通常の婦人靴と変わりない外観の婦人靴が得られる。
【００４３】
次に、婦人靴１の製造方法について説明する。
【００４４】
まず、図５に示すように、スポンジ材４Ａを補強布４Ｂに貼り付けて、トップパッド４を形成する。
【００４５】
それから、図６及び図７に示すように、裏皮６の一部となる第１の部分６Ａにトップパッド４を、スポンジ材４Ａが第１の部分６Ａ側となるように貼り付けると共に、第１の部分６Ａ側から、トップパッド４の下縁部分に沿って縫い付ける。図７において、Ｌ１はトップパッド４を縫い付ける縫い線である。
【００４６】
このとき、第１の部分６Ａには、図５に示すように、スポンジ材４Ａの下縁を位置決めするための取付ラインＳが描かれているので、位置がずれることなく貼り付けることができる。この取付ラインＳは、表皮５と裏皮６との袋縫いの折込代分を残せる部位に描かれている。
【００４７】
そして、第１の部分６Ａの両端部に、第２の部分６Ｂの両端部をそれぞれ縫い逢わせ、裏皮６とする。
【００４８】
この裏皮６と、別途形成された表皮５とを、表面となる側を接触させて重ね合わせ、図８に示すように、甲皮５と裏皮６との上縁をミシンで袋縫いのための縫製をする。Ｌ２は袋縫いの縫い線である。
【００４９】
この縫製後に裏返すことで、上縁部が袋縫いされたアッパー２となる。このアッパー２の踵部分を除き、ステッチ７が設けられる。
【００５０】
このようにして、表皮５と裏皮６との間にトップパッド４が位置するアッパー２が製造される。トップパッド４は、アッパー２の内側（裏皮６）に予め左右対称に縫い付けられているので、トップパッド４はアッパー２と一体となっている。
【００５１】
図４に示すように、周知の靴型１１にアッパー２を被せて、  アッパー２を靴型１１に密着させ、アッパー２の形を整える。このとき、、アッパー２の爪先部の甲皮５と裏皮６との間には爪先部芯材（図示せず）が、アッパー２の踵部３の甲皮と裏皮との間にはカウンター（図示せず）がそれぞれ挟まれた状態で設けられる。従って、爪先部と踵部は型崩れしにくいようになっている。
【００５２】
次に、アッパー２の下部に靴底を接合する。
【００５３】
靴型１１を抜くと、靴型１１により押さえつけられていたトップパッド４による突出部分が弾性復帰し、内方に低く突出する。
【００５４】
このように製造すれば、アッパー２の内側にトップパッド４を予め縫い付けているので、アッパー２を取り付けるだけで、トップパッド４も一緒に取り付けられることになる。よって、製造工程を簡略化することができる。
【００５５】
本発明は、前述した実施の形態のほか、次に例示するように、適宜変更して実施することも可能である。
【００５６】
(i)前記実施の形態では、トップパッド４は縫製よりアッパー２に取り付けているが、接着剤により取り付けるようにしたり、両面テープ等の他の手段で取り付けるようにしてもよい。
【００５７】
(ii)前記実施の形態では、トップパッド４はスポンジ材４Ａと補強布４Ｂとを一体形成したが、補強布を省略することも可能である。
【００５８】
(iii)前記実施の形態では、スポンジ材を使用したが弾性復帰する性質を有する材料（例えば、シリコン、エラストマー、弾性ゴムや他の合成樹脂材等）であれば、スポンジ材に代えて、用いることができる。
【００５９】
(iv)前記実施の形態では、本発明を婦人靴に適用した例を示しているが、靴の種類は、婦人靴に限定されるものでなく、紳士靴等の他の靴でもよいのはもちろんである。
【符号の説明】
【００６０】
１  婦人靴
２  アッパー
２ａ  トップライン
２ｂ  突出部分
３  踵部
４  トップパッド
４Ａ  トップパッド
４Ｂ  補強布
５  表皮
６  裏皮
６Ａ  第１の部分
６Ｂ  第２の部分
７  ステッチ
１１  靴型
【図１】
2018110692.tif 000003
【図２】
2018110692.tif 000004
【図３】
2018110692.tif 000005
【図４】
2018110692.tif 000006
【図５】
2018110692.tif 000007
【図６】
2018110692.tif 000008
【図７】
2018110692.tif 000009
【図８】
2018110692.tif 000010